(57)【要約】【課題】  変速機ケースに貯留するオイル量を少なくしながら、デフリングギヤによる掻き揚げが期待できない後退時においても、必要な個所に必要な量のオイルを供給することを課題とする。【解決手段】  ギヤ２１、２２により掻き揚げられたオイルを捕集する給油部材１００に、捕集したオイルをフロント側からリヤ側に案内して変速機ケース内のリヤ側の潤滑部に供給する樋部１３２を設け、該樋部１３２の底部を、第１底部１４１と第２底部１４２とに区切ると共に、第２底部１４２に変速機ケース内の軸方向中間部の潤滑部にオイルを滴下させるオイル滴下孔１４２ａ、１４２ｂを設け、給油部材１００のオイル捕集量が所定量より少ないときは、該オイルが第１底部１４１上のみを通過してリヤ側に流れ、オイル捕集量が前記所定量より多いときは、該オイルが第１底部１４１上及び第２底部１４２上を通過してリア側に流れるように構成する。【選択図】  図５
2014194246.tif 000002
【特許請求の範囲】
【請求項１】
ギヤにより掻き揚げられたオイルを変速機ケース内に配設した給油部材で捕集し、このオイルを該給油部材に設けられた樋部によりフロント側からリヤ側に案内して、変速機ケース内のリヤ側に位置する潤滑部に供給すると共に、前記樋部の底部に設けられたオイル滴下孔から変速機ケース内の軸方向の中間部に位置する潤滑部にオイルを滴下させる変速機の潤滑構造であって、
前記樋部の底部は第１底部と第２底部とに区切られ、前記オイル滴下孔が第２底部に設けられていると共に、
前記第１、第２底部は、給油部材が捕集したオイル量が所定量より少ないときは、該オイルが第１底部上のみを通過してリヤ側に流れ、給油部材が捕集したオイル量が前記所定量より多いときは、第１底部上及び第２底部上を通過してリア側に流れるように構成されていることを特徴とする変速機の潤滑構造。
【請求項２】
前記樋部の第１底部は、リヤ側の幅がフロント側の幅よりも狭くされていることを特徴とする請求項１に記載の変速機の潤滑構造。
【請求項３】
前記第１、第２底部は、前記樋部の底部に設けられたリブまたは段差によって区切られていることを特徴とする請求項１または請求項２に記載の変速機の潤滑構造。
【請求項４】
前記リヤ側に位置する潤滑部は、セカンダリシャフトのリヤ側の軸受部であり、
前記ギヤは、後退時には前進時と反対方向に回転するデフリングギヤと、セカンダリシャフトに遊嵌合されて後退時も前進時と同方向に回転する前進低変速段用ギヤ列の従動ギヤであり、
前記給油部材は、当該車両の前進時には前記両ギヤによって掻き揚げられたオイルを捕集し、後退時には前記従動ギヤによって掻き揚げられたオイルのみを捕集する構成とされ、
前記第２底部に設けられたオイル滴下孔からオイルが滴下される前記潤滑部は、前進時には動力伝達を行い、後退時には動力伝達を行わない部位であることを特徴とする請求項１から請求項３のいずれか１項に記載の変速機の潤滑構造。
【発明の詳細な説明】
【技術分野】
【０００１】
本発明は、変速機の潤滑構造、特にギヤによる掻き揚げ給油を行う手動変速機の潤滑構造に関し、車両用変速機の潤滑技術の分野に属する。
【背景技術】
【０００２】
手動変速機においては、例えば入、出力軸の軸受部、各変速ギヤの噛み合い部、前記軸におけるギヤの遊嵌合部及び同期装置等に潤滑用のオイルを供給するようになっており、このオイルの供給は、変速機ケースの底部に貯留したオイルをギヤの回転によって掻き揚げ、これを樋状等の給油部材で受け取って各被潤滑部に供給する掻き揚げ給油によって行われるのが通例である。
【０００３】
例えば、特許文献１に開示されたオイル供給装置は、差動装置が一体化されて共通の変速機ケースに収納されたＦＦ車（フロントエンジン・フロンドドライブ車）用の変速機において、前記変速機ケース内の最も下部に配置されて変速機からの出力を差動装置に入力する大径のリングギヤ（以下、「デフリングギヤ」という）によりオイルを掻き揚げ、これを入、出力軸の上方に配置された皿状の給油部材にフロント側（エンジン側）から導入して貯留部に貯留した後、リヤ側（反エンジン側）に案内し、入力軸の後端部から該軸の軸内油路に供給すると共に、前記貯留部の底部に設けたオイル滴下孔から入、出力軸や各変速ギヤの噛み合い部、同期装置などにオイルを滴下させるように構成されている。
【０００４】
しかし、この特許文献１に開示されたオイル供給装置においては、もっぱらデフリングギヤによって掻き揚げられたオイルを各被潤滑部に供給する構成であるから、デフリングギヤが逆方向に回転する後退時には、掻き揚げられたオイルを給油部材で捕集することができず、したがって、後退時に各被潤滑部への給油量が不足する可能性がある。
【０００５】
これに対しては、特許文献２に開示されているように、入、出力軸のうちの下方に位置する出力軸に遊嵌合された従動ギヤ、特に比較的大径の前進低変速段用ギヤ列の従動ギヤを利用し、このギヤの回転によって変速機ケース底部のオイルを掻き揚げて給油部材で捕集するようにしたものが知られている。
【０００６】
これによれば、出力軸に遊嵌合された前進変速段用ギヤ列の従動ギヤは、後退時も前進時と同方向に回転するから、後退時においてもオイルを掻き揚げて給油部材に捕集させ、これを各被潤滑部に供給することが可能となる。
【先行技術文献】
【特許文献】
【０００７】
【特許文献１】特開２０１１−１８５３３２号公報
【特許文献２】特開２０１１−１３７４９３号公報
【発明の概要】
【発明が解決しようとする課題】
【０００８】
ところで、エンジンの燃費性能の向上のため、手動変速機においては、変速機ケースに貯留するオイル量を低減し、車両重量の低減と、デフリングギヤ等による撹拌抵抗の低減とを図ることが望まれている。
【０００９】
したがって、掻き揚げ給油を行うギヤの下部が確実に浸漬する範囲で、できるだけ貯留するオイル量を少なくすることが望まれるが、一方で、各被潤滑部における要求オイル量を確保するためには一定の貯留量が必要であり、特に前記のようにデフリングギヤによる掻き揚げが期待できない後退時に、要求オイル量の確保と貯留オイル量の低減とをいかに両立させるかが課題となる。
【００１０】
そこで、本発明は、変速機ケースに貯留するオイル量をできるだけ少なくしながら、デフリングギヤによる掻き揚げが期待できない後退時においても、必要な個所に必要な量のオイルを確実に供給することができる潤滑構造を提供することを課題とする。
【課題を解決するための手段】
【００１１】
前記課題を解決するため、まず、本願の請求項１に記載の発明は、ギヤにより掻き揚げられたオイルを変速機ケース内に配設した給油部材で捕集し、このオイルを該給油部材に設けられた樋部によりフロント側からリヤ側に案内して、変速機ケース内のリヤ側に位置する被潤滑部に供給すると共に、前記樋部の底部に設けられたオイル滴下孔から変速機ケース内の軸方向の中間部に位置する被潤滑部にオイルを滴下させる変速機の潤滑構造であって、前記樋部の底部は第１底部と第２底部とに区切られ、前記オイル滴下孔が第２底部に設けられていると共に、前記第１、第２底部は、給油部材が捕集したオイル量が所定量より少ないときは、該オイルが第１底部上のみを通過してリヤ側に流れ、給油部材が捕集したオイル量が前記所定量より多いときは、第１底部上及び第２底部上を通過してリア側に流れるように構成されていることを特徴とする。
【００１２】
また、請求項２に記載の発明は、前記請求項１に記載の変速機の潤滑構造において、前記樋部の第１底部は、リヤ側の幅がフロント側の幅よりも狭くされていることを特徴とする。
【００１３】
また、請求項３に記載の発明は、前記請求項１または請求項２に記載の変速機の潤滑構造において、前記第１、第２底部は、前記樋部の底部に設けられたリブまたは段差によって区切られていることを特徴とする。
【００１４】
また、請求項４に記載の発明は、前記請求項１から請求項３のいずれか１項に記載の変速機の潤滑構造において、前記リヤ側に位置する被潤滑部は、セカンダリシャフトのリヤ側の軸受部であり、前記ギヤは、後退時には前進時と反対方向に回転するデフリングギヤと、セカンダリシャフトに遊嵌合されて後退時も前進時と同方向に回転する前進低変速段用ギヤ列の従動ギヤであり、前記給油部材は、当該車両の前進時には前記両ギヤによって掻き揚げられたオイルを捕集し、後退時には前記従動ギヤによって掻き揚げられたオイルのみを捕集する構成とされ、前記第２底部に設けられたオイル滴下孔からオイルが滴下される前記被潤滑部は、前進時には動力伝達を行い、後退時には動力伝達を行わない部位であることを特徴とする。
【発明の効果】
【００１５】
前記請求項１に記載の発明によれば、給油部材によって捕集されたオイルの量が所定量より多いときは、オイルは該給油部材の樋部における第１、第２底部上を通過してリヤ側に流れ、変速機ケースのリヤ側に位置する被潤滑部に供給されると共に、一部のオイルは、第２底部に設けられたオイル滴下孔により、変速機ケースの軸方向の中間部に位置する被潤滑部に滴下給油されることになる。
【００１６】
一方、給油部材によって捕集されたオイルの量が少ないときは、該オイルはもっぱら第１底部上を通過してリヤ側に流れ、第２底部のオイル滴下孔から前記中間部に位置する被潤滑部への滴下が抑制されることになる。
【００１７】
したがって、当該変速機の作動状態に応じて前記給油部材によるオイルの捕集量が異なる場合において、前記中間部に位置する被潤滑部が、捕集量が少なくなる所定の作動状態では前記オイル滴下孔からの給油を必要としない部位である場合、変速機が前記所定の作動状態にあるときに、前記中間部に位置する被潤滑部への不必要な滴下給油が抑制され、捕集したオイルの全量または略全量が給油を必要とするリヤ側の被潤滑部に供給されることになる。
【００１８】
このように、オイルの捕集量が少ない状態で、不必要な給油が抑制されることにより、変速ケース内へのオイルの貯留量を減らしながら、必要な被潤滑部に対する給油を確実に行うことが可能となる。
【００１９】
また、請求項２に記載の発明によれば、前記樋部の第１底部は、リヤ側の幅がフロント側の幅よりも狭くされているので、この幅が狭くされているリヤ側の部分にオイル滴下孔が設けられる第２底部を並設すれば、樋部全体の幅の増大を抑制することができて、給油部材の変速ケース内への収納性が向上すると共に、第１底部上を通過するリヤ側の被潤滑部へのオイルの流れが加勢されることになる。
【００２０】
また、請求項３に記載の発明によれば、前記樋部における第１、第２底部が、リブまたは段差により、簡素な構成で区切られることになる。
【００２１】
一方、請求項４に記載の発明によれば、前記給油部材には、前進時には、デフリングギヤとセカンダリシャフトに遊嵌合された前進低変速段用ギヤ列の従動ギヤとによって掻き揚げられたオイルが捕集されるから、該給油部材による捕集量が所定量より多くなり、前記樋部の第１、第２底部上をオイルが流れることになる。
【００２２】
したがって、前進時及び後退時のいずれの作動状態においても給油が必要とされるセカンダリシャフトのリヤ側端部の軸受部に確実にオイルが供給されると共に、前進時に給油が必要とされる中間部に位置する被潤滑部、例えば、中高変速段用ギヤ列におけるギヤの噛み合い部や同期装置等にも、第２底部のオイル滴下孔からオイルが確実に供給されることになる。
【００２３】
これに対し、デフリングギヤによって掻き揚げられたオイルが給油部材に捕集されない後退時には、捕集されたオイルの全量または略全量が第１底部上を流れるから、後退時には動力を伝達せず、給油を必要としない前記中間部に位置する被潤滑部に対する不必要な給油が防止されると共に、後退時にも給油を必要とするセカンダリシャフトのリヤ側の端部の軸受部は確実に給油されることになり、前記請求項１の発明の効果が、具体的に達成されることになる。
【図面の簡単な説明】
【００２４】
【図１】本発明の実施形態に係る変速機の基本構造を示す展開断面図である。
【図２】潤滑構造を構成する給油部材の配置を示す変速機の概略後面図である。
【図３】同概略側面図である。
【図４】給油部材の単体斜視図である。
【図５】同平面図である。
【図６】図５のａ−ａ線で切断した給油部材の拡大端面図である。
【図７】変速機の後部におけるプライマリシャフト側の給油構造を示す拡大平断面図である。
【図８】同、セカンダリシャフト側の給油構造を示す拡大側断面図である。
【図９】図５のｂ−ｂ線で切断した給油部材の拡大断面図である。
【図１０】同給油部材の図９のｃ−ｃ線で切断した拡大端面図である。
【図１１】図３のｄ−ｄ線で切断した変速機ケースの上部の概略断面図である。
【図１２】給油部材の他の実施形態を示す図１０と同様の断面図である。
【発明を実施するための形態】
【００２５】
以下、本発明の実施の形態について説明する。
【００２６】
まず、図１により、この実施の形態に係る潤滑構造が適用された変速機１の構造を説明する。なお、以下の説明では、エンジン側（図１の右側）を前、反エンジン側を後とし、それぞれ「フロント側」、「リヤ側」などという。
【００２７】
変速機１は、前進６速、後進１速の変速機であって、変速機ケース（以下、「ケース」という）２内に、図示しないエンジンの出力軸にクラッチを介して連結された入力軸としてのプライマリシャフト１０と、該シャフト１０に平行に配置された出力軸としてのセカンダリシャフト２０とが配設され、これらのシャフト１０、２０間に、フロント側から、１速用ギヤ列Ｇ１、後退速用ギヤ列ＧＲ、２速用ギヤ列Ｇ２、３速用ギヤ列Ｇ３、４速用ギヤ列Ｇ４、５速用ギヤ列Ｇ５、および６速用ギヤ列Ｇ６が配設されている。
【００２８】
前記１速用ギヤ列Ｇ１および２速用ギヤ列Ｇ２は、それぞれ、プライマリシャフト１０に固設されたプライマリギヤ１１、１２と、セカンダリシャフト２０に遊嵌合されたセカンダリギヤ２１、２２とで構成されている。また、３速用ギヤ列Ｇ３〜６速用ギヤ列Ｇ６は、それぞれ、プライマリシャフト１０に遊嵌合されたプライマリギヤ１３〜１６と、セカンダリシャフト２０に固設されたセカンダリギヤ２３〜２６とで構成されている。
【００２９】
また、後退速用ギヤ列ＧＲは、プライマリシャフト１０に固設されたリバースプライマリギヤ１７と、セカンダリシャフト２０に固定されたリバースセカンダリギヤ２７と、前記プライマリシャフト１０およびセカンダリシャフト２０に平行なアイドルシャフト３０に軸方向に摺動自在に嵌合されたリバースアイドルギヤ３７とで構成されている。
【００３０】
さらに、セカンダリシャフト２０に遊嵌合された１速用、２速用セカンダリギヤ２１、２２の間、プライマリシャフト１０に遊嵌合された３速用、４速用プライマリギヤ１３、１４の間、同じくプライマリシャフト１０に遊嵌合された５速用、６速用プライマリギヤ１５、１６の間に、それぞれ、１−２速用同期装置４１、３−４速用同期装置４２、５−６速用同期装置４３が配置され、チェンジレバー（図示せず）の操作により、これらの同期装置のスリーブをフロント側またはリヤ側にスライドさせることにより、スライドされた側の遊嵌合ギヤがプライマリシャフト１０またはセカンダリシャフト２０に固定され、当該ギヤ列が動力伝達状態とされるようになっている。
【００３１】
なお、前記後退速用ギヤ列ＧＲのセカンダリギヤ２７は、前記１−２速用同期装置４１のスリーブ４１ａに設けられて、該同期装置４１のハブ４１ｂを介してセカンダリシャフト２０と一体回転するように構成されており、リバースアイドルギヤ３７をリヤ側へスライドさせれば、該ギヤ３７がリバースプライマリギヤ１７およびリバースセカンダリギヤ２７にそれぞれ噛み合うことにより、後退速用ギヤ列ＧＲが動力伝達状態とされるようになっている。
【００３２】
そして、前記セカンダリシャフト２０のフロント側の端部には出力ギヤ２８が設けられ、該ギヤ２８が差動装置５０の入力ギヤであるデフリングギヤ５１に噛み合わされ、セカンダリシャフト２０の回転、即ち変速機１の出力回転が該差動装置５０を介して左右の車軸６１、６２に伝達されるようになっている。
【００３３】
ここで、前記プライマリシャフト１０の前後両端部は、軸受７１、７２を介して、セカンダリシャフト２０の前後両端部は、軸受７３、７４を介してそれぞれケース２に回転自在に支持されている。
【００３４】
また、プライマリシャフト１０には、後端部から前方に延びる軸内油路１０ａと、該軸内油路１０ａから半径方向に延び、該プライマリシャフト１０における前記３〜６速用プライマリギヤ１３〜１６の遊嵌合面に開口する油路１０ｂ〜１０ｅが設けられていると共に、前記軸受７２の後方に、変速機ケース２の後端面に取り付けられ、前記軸内油路１０ａ内に突入するファンネル８１が設けられている。
【００３５】
同様に、セカンダリシャフト２０には、前端部から後方に延びる軸内油路２０ａと、該軸内油路２０ａから半径方向に延び、該セカンダリシャフト２０における前記１、２速用セカンダリギヤ２１、２２の遊嵌合面に開口する油路２０ｂ、２０ｃが設けられていると共に、前記軸受７３の前方に、ケース２の前端面に取り付けられ、前記軸内油路２０ａ内に突入するファンネル８２が設けられている。
【００３６】
なお、図２に示すように、当該車両の前進時には、プライマリシャフト１０はＡ方向に、セカンダリシャフト２０はＢ方向に、デフリングギヤ５１はＣ方向に、それぞれ回転する。また、後退時には、プライマリシャフト１０は前進時と同様にＡ方向に、セカンダリシャフト２０及びデフリングギヤ５１は、前進時と反対のＢ’、Ｃ’方向に、それぞれ回転する。
【００３７】
ただし、プライマリシャフト１０に固設された１速用及び２速用プライマリギヤ１１、１２に常時噛み合わされたセカンダリシャフト２０上の１速用及び２速用セカンダリギヤ２１、２２は、後退時も前進時と同様、Ｂ方向に回転する。
【００３８】
また、１、２速用ギヤ列Ｇ１、Ｇ２の間に配置された後退速用ギヤ列ＧＲのセカンダリギヤ２７は、前進時には、１速用及び２速用セカンダリギヤ２１、２２と同様、Ｂ方向に回転するが、後退時には、逆のＢ’方向に回転する。
【００３９】
さらに、停車時等において、変速機が中立状態にあるときは、プライマリシャフト１０がＡ方向に回転しておれば、セカンダリシャフト２０上の１速用及び２速用セカンダリギヤ２１、２２は、前進時や後退時と同様に、Ｂ方向に回転する。
【００４０】
ここで、図２に符号Ｘで示すように、ケース２の底部には、デフリングギヤ５１と、１、２速用セカンダリギヤ２１、２２の下部が、変速機１の作動状態で浸漬するようにオイルが貯留されている。
【００４１】
次に、変速機１における潤滑構造について説明する。なお、変速機１のフロント側に配置された軸受７１、７３、１−２同期装置４１、１、２速用及び後退速用ギヤ列Ｇ１、Ｇ２、ＧＲにおけるギヤの噛み合い部等は、ケース１の底部に貯留されたオイルに下部が浸漬されたデフリングギヤ５１や１、２速用セカンダリギヤ２１、２２の回転により十分に掻き揚げ給油されるので、この潤滑構造は、もっぱら変速機１の軸方向の中間部からリヤ側の各部に対する給油を目的とする。
【００４２】
図２、図３に示すように、この変速機１の潤滑構造はケース２内に配設された樹脂製の給油部材１００によって構成されており、この給油部材１００は、前記セカンダリシャフト２０上の各ギヤ（１、２速用セカンダリギヤ２１，２２のみ図示）と、デフリングギヤ５１の間の上方の空間に配置され、フロント側の端部に設けられた縦壁面１０１に後方に向けて突設した取付ピン１０２がケース２のフロント側の端部に設けられたボス部２ａの穴に前方から圧入されることにより、フロント側が支持されていると共に、リヤ側は、後方に突出する第１、第２給油部１１１、１１２の先端がケース２の後壁部に係合されることにより支持されている。なお、この第１、第２給油部１１１、１１２の先端の構成については、後に詳細に説明する。
【００４３】
前記給油部材１００は、図４〜図６に示すように、基本形状が、底壁１２１と左右の側壁１２２、１２３とを備えて、フロント側からリヤ側に向かってオイルを案内する樋状とされている。そして、オイルの流れ方向に対して左側の側壁１２２と右側の側壁１２３との間には、フロント側の端部から中間部にかけて背の高い捕集壁１２４が突設されていると共に、中間部からリヤ側の端部にかけて仕切壁１２５が設けられ、該捕集壁１２４及び仕切壁１２５と右側の側壁１２３との間が第１樋部１３１、該捕集壁１２４及び仕切壁１２５と左側の側壁１２２との間が第２樋部１３２とされている。
【００４４】
また、前記捕集壁１２４の後部と仕切壁１２５の前部とは、オイルの流れ方向に対して前者が右側、後者が左側に位置して流れ方向に沿ってオーバラップしており、このオーバラップした捕集壁１２４の後部と仕切壁１２５の前部との間が、第２樋部１３２の上流部から分岐して第１樋部１３１の下流部に合流する連絡部１３３とされている。
【００４５】
そして、右側の第１樋部１３１の上流部は変速ギヤ側オイル導入部１３１ａとされ、セカンダリシャフト２０上の１速用及び２速用セカンダリギヤ２１、２２の上方で、これらのギヤ２１、２２の回転方向Ｂの前方に位置するように設けられている。
【００４６】
また、第２樋部１３２の上流部は左側に屈曲されたデフリングギヤ側オイル導入部１３２ａとされ、その先端の開放端がデフリングギヤ５１の上方で、該ギヤ５１の前進時の回転方向Ｃの前方に位置するように設けられている。
【００４７】
なお、図４に示すように、前記第１樋部１３１はほぼ水平に設けられているのに対し、第２樋部１３２の下流部はリヤ側が低くなるように傾斜しており、これに伴い、前記仕切壁１２５は、第１、第２樋部１３１、１３２の間に生じる段差を塞ぐように、リヤ側ほど上下幅が広くなっている。
【００４８】
そして、前記第１、第２樋部１３１、１３２の後端部には、前述の第１、第２給油部１１１、１１２がそれぞれ連設されており、第１給油部１１１は右側に屈曲して、前記プライマリシャフト１０の後端部を指向し、第２給油部１１２は後方に延びて、前記セカンダリシャフト２０の後端部を指向するように設けられている。
【００４９】
ここで、前記第１、第２給油部１１１、１２１による各シャフト１０、２０の後端部への給油構造を詳しく説明する。
【００５０】
まず、プライマリシャフト１０側の構造を説明すると、図７に示すように、プライマリシャフト１０の後端部を支持する軸受７２と、その後方のケース２の後壁２ｂとの間にはファンネル８１が設けられ、該ファンネル８１とケース後壁２ｂとの間がオイル溜り９１とされている。前記ファンネル８１には、中央部にプライマリシャフト１０の軸内油路１０ａに後方から突入する筒状部８１ａが設けられていると共に、フランジ面には連通孔８１ｂが設けられている。
【００５１】
そして、前記給油部材１００の第１給油部１１１の先端部が前記オイル溜り９１に側方から突入されており、したがって、該第１給油部１１１から供給されるオイルは、前記オイル溜り９１から前記ファンネル８１の筒状部８１ａ内を通ってプライマリシャフト１０の軸内油路１０ａ内に導入されると共に、前記連通孔８１ｂを通過して前記軸受７２に供給されることになる。
【００５２】
また、図８に示すように、セカンダリシャフト２０側においても、該シャフト２０の後端部を支持する軸受７４と、その後方のケース２の後壁２ｂとの間にオイル溜り９２が設けられていると共に、前記軸受７４の上方には、該軸受７４の嵌合穴を切り欠くことにより前記オイル溜り９２に通じる開口部９３が設けられ、前記給油部材１００の第２給油部１１２が該開口部９３に前方から突入されている。したがって、第２給油部１１２から供給されるオイルは、前記オイル溜り９２から軸受７４に供給されることになる。
【００５３】
ここで、前記第１給油部１１１の先端部がオイル溜り９１の入り口部に側方から係合されることにより、給油部材１００の軸方向の位置が規制され、第２給油部１１２の先端部が開口部９３の入口部に前方から係合されることにより、給油部材１００の後部の左右方向の位置が規制されるようになっている。
【００５４】
さらに、この給油部材１００においては、図５に示すように、前記第２樋部１３２の下流部の傾斜した底面に、前記仕切壁１２５に接続された前端部から、該仕切壁１２５と左側の側壁１２２との間を通って第２樋部１３２の後端部まで延びるリブ１２６が設けられている。
【００５５】
これにより、第２樋部１３２の下流部の底部は、前記側壁１２３とリブ１２６との間に設けられて、前記第２導入部１３２ａから続く第１底部１４１と、仕切壁１２５とリブ１２６との間に設けられて、第２樋部１３２の中間部から始まる第２底部１４２とに区切られていると共に、該第１、第２底部１４１、１４２の下流端は合流し、前記第２給油部１１２に連続するようになっている。
【００５６】
そして、図９、図１０に示すように、前記第２底部１４２には、前記４速用及び５速用セカンダリギヤ２４、２５の上方に位置させて、該第２底部１４２上を流れるオイルを下方に滴下させる筒状の滴下孔１４２ａ、１４２ｂが設けらている。
【００５７】
ここで、図１０に符号Ｙで示すように、前記リブ１２６の高さは、第２樋部１３２の上流部から続いている第１底部１４１を流れるオイルの量が所定量を超えたときに第２底部１４２側に溢れ出す高さとされており、したがって、第２底部１４２から前記滴下孔１４２ａ、１４２ｂを通ってオイルが下方に滴下されるのは、第２樋部１３２を流れるオイルの量が前記所定量を超えたときとなる。
【００５８】
なお、図９に示すように、各滴下孔１４２ａ、１４２ｂには、傾斜した第２底部１４２上を流れるオイルを捕捉して下方に滴下させるための堰１４２ａ’、１４２ｂ’がそれぞれ設けられている。
【００５９】
以上の構成に加えて、この変速機１の潤滑構造は、図１１に示すように、ケース２の天井面２ｃに付着したオイルを給油部材１００の第２樋部１３２に案内するガイド部１５０を備えている。
【００６０】
このガイド部１５０は、前記給油部材１００の上方におけるセカンダリシャフト２０側からデフリングギヤ５１側にかけて低くなるケース２の天井面２ｃと、該天井面２ｃにおける前記給油部材１００の第２樋部１３２の上方位置において、前記１速用及び２速用セカンダリギヤ２１、２２の配設位置及びその中間の後退速用セカンダリギヤ２７を含む範囲で軸方向に延びるように設けられたリブ１５１とで構成されている（図３参照）。
【００６１】
そして、前記給油部材１００における捕集壁１２４の上端とケース天井面２ｃとの間に間隙ｘが、前記リブ１５１と捕集壁１２４の上端部との間に間隙ｙが設けられ、前記天井面２ｃからこれらの間隙ｘ、ｙを経由して下方の第２樋部１３２を臨むオイルの流路が形成されている。
【００６２】
ここで、前記給油部材１００は、前述のように、前部が取付ピン１０２によりケース２のボス部２ａに支持されていると共に、後端部の第１、第２給油部１１１、１１２がケース２の後壁２ｂに係合されることにより後部が支持されているが、中間部はケース２の上方に架け渡された状態であり、また、該ケース２及び給油部材１００の各部の寸法公差やケース天井面２ｃの表面粗さ等を考慮すると、前記捕集壁１２４の上端が天井面２ｃに当接することを避けるためには、該捕集壁１２４の上端と天井面２ｃとの間に間隙が確保されるように設定することが必要であり、前記ガイド部１５０は、このようにして設けられる間隙ｘを活用したものであるということができる。
【００６３】
次に、この実施形態に係る潤滑構造の作用を説明する。
【００６４】
まず、前進時には、図２、図１１に示すように、セカンダリシャフト２０はＢ方向に、差動装置５０のデフリングギヤ５１はＣ方向にそれぞれ回転し、デフリングギヤ５１のＣ方向の回転によって、ケース２の底部に貯留されたオイルが該ギヤ５１の歯面間に保持されて掻き揚げられ、該ギヤ５１の上部からセカンダリシャフト２０側に飛ばされる。
【００６５】
そして、このオイルは、図５に示す給油部材１００における第２樋部１３２の前端の導入部１３２ａから第２樋部１３２に導入され、或いは、その前方の捕集壁１２４のデフリングギヤ５１側の面に捕捉されて下方に流れ、第２樋部１３２に導入される。
【００６６】
また、前記セカンダリシャフト２０と共にＢ方向に回転する１、２速用セカンダリギヤ２１、２２及び後退速用セカンダリギヤ２７も、下部がケース２の底部のオイルに浸漬されているので、これらのギヤ２１、２２、２７の回転によりオイルが掻き揚げられ、前記デフリングギヤ５１側に飛ばされる。そして、このオイルは、その前方の捕集壁１２４のセカンダリシャフト２０側の面に捕捉されて下方に流れ、第１樋部１３１に導入される。
【００６７】
なお、このとき、図１１に示すように、１、２速用セカンダリギヤ２１、２２及び後退速用セカンダリギヤ２７に掻き揚げられたオイルの一部はケース２の天井面２ｃに向けて飛び、該天井面２ｃに付着した後、ガイド部１５０によって給油部材１００の第２樋部１３２に導入される。
【００６８】
つまり、前記セカンダリギヤ２１、２２、２７から飛び出して天井面２ｃに付着したオイルは、該天井面２ｃの傾斜に沿ってデフリングギヤ５１側に流れ、ガイド部１５０における天井面２ｃと捕集壁１２４の上端との間の間隙ｘを通ってリブ１５１の側面に伝わり、間隙ｙを通って該面から下方の第２樋部１３２に滴下し、該第２樋部１３２に導入される。
【００６９】
そして、前記第１樋部１３１に導入されたオイルと、第２樋部１３２に導入された後、連絡路１３３を通って第１樋部１３１に流入したオイルは、図５に示すように、第１樋部１３１の先端に連設された第１給油部１１１からプライマリシャフト１０の後方のオイル溜り９１に供給され、その一部が該オイル溜り９１からファンネル８１の連通孔８１ｂを通ってプライマリシャフト１０の後端部を支持する軸受７２に供給され、該軸受７２と、該軸受７２に隣接する６速用プライマリギヤ１６の歯面（６速用セカンダリギヤ２６との噛み合い部）を潤滑する。
【００７０】
また、該オイルの残部は、前記ファンネル８１の筒状部８１ａからプライマリシャフト１０の軸内油路１０ａに導入され、さらに半径方向の油路１０ｂ〜１０ｅを通って該プライマリシャフト１０における３〜６速用プライマリギヤ１３〜１６の遊嵌合面に供給され、これらの遊嵌合部を潤滑すると共に、さらに３−４速用同期装置４２及び５−６速用同期装置４３の摺動面等を潤滑する。
【００７１】
なお、前記２速用セカンダリギヤ２２がオイルを掻き揚げることにより、該ギヤ２２に隣接する３速用のプライマリギヤ１３とセカンダリギヤ２３との噛み合い部にオイルが供給され、該噛み合い部が潤滑される。
【００７２】
一方、第２樋部１３２に導入され、連絡路１３３に流入しなかったオイルは、該第２樋部１３２をリヤ側に向かって流れることになるが、該第２樋部１３２の下流部はリブ１２６によって第１、第２底部１４１、１４２に区切られ、オイルは第２樋部１３２の上流部から続く第１底部１４１上にもっぱら流入することになる。
【００７３】
その場合に、前進時は、前述のように、第２樋部１３２には、１、２速用及び後退速用セカンダリギヤ２１、２２、２７に掻き揚げられ、ケース２の天井部に設けられたガイド部１５０を経由して導入されたオイルに加え、ケース２の底部のオイルに深く浸漬し、しかも、変速用ギヤに比べて歯幅が大きいデフリングギヤ５１によって大量に掻き揚げられたオイルが導入されるから、該第２樋部１３２を流れる油量は前述の所定量よりも多く、オイルはリブ１２６を越えて第２底部１４２側に溢れ出し、第１、第２底部１４１、１４２上の両方を通って下流側に流れることになる。
【００７４】
そして、両底部１４１、１４２上を流れたオイルは第２給油部１１２の連設部で合流し、図８に示すように、該第２給油部１１２からセカンダリシャフト２０の後方のオイル溜り９２に導入され、該シャフト２０の後端部を支持する軸受７４を潤滑すると共に、該軸受７４を通過したオイルが隣接する６速用セカンダリギヤ２６に供給され、該ギヤ２６と６速用プライマリギヤ１６との噛み合い部を潤滑する。
【００７５】
また、このとき、第２底部１４２側に溢れ出したオイルの一部は、該第２底部１４２に設けられたオイル滴下孔１４２ａ、１４２ｂから下方に滴下し、下方に位置する４速用及び５速用のセカンダリギヤ２４、２５上に滴下し、４速用のプライマリギヤ１４とセカンダリギヤ２４との噛み合い部、及び、５速用のプライマリギヤ１５とセカンダリギヤ２５との噛み合い部がそれぞれ潤滑される。その場合に、前記第２底部１４２におけるオイル滴下孔１４２ａ、１４２ｂの開口部には堰１４２ａ’、１４２ｂ’が設けられているから、前記各ギヤの噛み合い部に供給されるオイルの量が必要量確保される。
【００７６】
以上のようにして、変速機１の中間部からリヤ側にかけて配置されて、前進時に頻繁に動力伝達状態となるギヤ列Ｇ３〜Ｇ６を構成する各ギヤの噛み合い部、同じく頻繁に作動する３−４速用及び５−６速用同期装置４２、４３、及び、動力を伝達するプライマリシャフト１０及びセカンダリシャフト２０の後端部をそれぞれ支持する軸受７２、７４等に確実にオイルが供給され、これら各部が潤滑されることになる。
【００７７】
次に、この潤滑構造の後退時における作用を説明する。
【００７８】
後退時は、前記デフリングギヤ５１の回転方向は、図２、図１１に示すＣ’方向となり、該ギヤ５１がオイルを飛び出させる方向が、給油部材１００が配設された方向とは反対側となるので、該デフリングギヤ５１の回転によって掻き揚げられるオイルは給油部材１００に捕集されない。したがって、後退時は、前進時と同方向に回転する１、２速用セカンダリギヤ２１、２２の回転によって掻き揚げられるオイルのみが給油部材１００に捕集されることになるが、この場合、前進時に比べて給油部材１００へのオイルの導入量は著しく少なくなる。
【００７９】
前記１、２速用セカンダリギヤ２１、２２の回転によって掻き揚げられて給油部材１００側に飛び出したオイルは、給油部材１００の捕集壁１２４におけるセカンダリシャフト２０側の面に付着した後、該面を伝わって下方に流れて第１樋部１３１に導入され、該第１樋部１３１をリヤ側に流れて、第１給油部１１１からプライマリシャフト１０の後部のオイル溜り９１に供給される。
【００８０】
そして、前進時と同様、一部のオイルは、ファンネル８１の連通孔８１ｂから軸受７２に供給され、該軸受７２及び６速用のプライマリギヤ１６とセカンダリギヤ２６との噛み合い部を潤滑する。
【００８１】
また、該オイルの残部は、前記ファンネル８１の筒状部８１ａからプライマリシャフト１０の軸内油路１０ａ及び半径方向の連通孔１０ｂ〜１０ｅを通って、該プライマリシャフト１０における３〜６速用プライマリギヤ１３〜１６の遊嵌合面や、３−４速用同期装置４２及び５−６速用同期装置４３に供給され、これらの摺動面等を潤滑する。
【００８２】
また、前記１、２速用セカンダリギヤ２１、２２の回転によって掻き揚げられて給油部材１００側に飛び出したオイルの一部は、ケース２の天井面２ｃに付着し、前述のようにして、ガイド部１５０によって給油部材１００の第２樋部１３２に導入される。
【００８３】
そして、このオイルのうちの連絡路１３３から第１樋部１３１側に流れなかったオイルは、該第２樋部の上流部から続く第１底部１４１側を流れ、第２給油部１１２からセカンダリシャフト２０の後方のオイル溜り部９２に導入され、該オイル溜り部９２から軸受７４ないし６速用プライマリギヤ１６とセカンダリギヤ２６の噛み合い部に供給される。
【００８４】
その場合に、前記第２樋部１３２の上流部から第１底部１４１上に流入するオイルは、１、２速用セカンダリギヤ２１、２２が掻き揚げたオイルのうち、ケース２の天井面２ｃに付着し、ガイド部１５０により第２樋部１３２に導入されたオイルのうちの連絡路１３３に流入しなかったものだけであるから、第２底部１４２との間を仕切るリブ１２６を越えて第２底部１４２側へ溢れ出すオイルはなく、或いはごく少量となる。
【００８５】
したがって、第２底部１４２に設けられた滴下孔１４２ａ、１４２ｂを通って４、５速用のプライマリギヤ１４、１５とセカンダリギヤ２４、２５との噛み合い部にはオイルがほとんど供給されないことになるが、後退時には、これらのギヤは噛み合った状態で、動力を伝達することなく空転しているだけであるから、この噛み合い部への給油は特に必要でなく、給油が不十分であることによる問題はない。
【００８６】
一方、後退時にも動力伝達状態で回転するセカンダリシャフト２０の後端部を支持する軸受７４に対しては、前述のように、第２底部１４２側に溢れ出すオイルの量が零もしくはごく少量であるから、第２樋部１３２に導入されたオイルのうちの連絡路１３３に流入しなかったオイルの全量もしくは略全量が第１底部１４１上を流れ、第２給油部１１２を経て前記軸受７４に供給されるのである。
【００８７】
つまり、ギヤの回転による掻き揚げによって給油部材１００に導入されるオイル量がもともと少なく、しかも、その一部だけが第２樋部１３２の下流部まで流れてくる後退時に、その少量のオイルが、４、５速ギヤの噛み合い部に不必要に供給されることなく、全量または略全量が給油を必要とする軸受７４に供給されることになり、この給油のために、ケース２の底部に貯留するオイル量を多くし、いたずらに撹拌抵抗や当該車両の重量を増大させて、エンジンの燃費性能を悪化させることが回避されるのである。
【００８８】
ここで、この実施形態に係る給油部材１００においては、前記第２樋部１３２における第１底部１４１は、下流側（リヤ側）の幅が上流側（フロント側）の幅より狭くされ、この幅が狭い下流側に並べて第２底部１４２を設けることにより、第１底部１４１と第２底部１４２の幅の和が上流側から下流側にかけてほぼ一定とされている。
【００８９】
これにより、第１底部１４１と第２底部１４２とを並設することによる第２樋部１３２の幅の増大、ひいては給油部材１００の全体の幅の増大が抑制され、該給油部材１００のケース２内への良好な収納性が確保されている。また、第１底部１４１は下流側の幅が上流側より幅が狭いことにより、該第１底部１４１上のオイルの流れが加勢され、オイル量の少ない後退時にも、セカンダリシャフト２０の後端部の軸受７４が確実に給油されることになる。
【００９０】
なお、前記１、２速用セカンダリギヤ２１、２２は、停車時においてもプライマリシャフト１０が回転しているときはＢ方向に回転し、したがって、後退時と同様にして、セカンダリシャフト２０の後端部の軸受７４にオイルが供給される。
【００９１】
次に、図１２に示す給油部材の他の実施形態について説明すると、この実施形態に係る給油部材２００においては、第２樋部２３２の下流部における第１、第２底部２４１、２４２が、リブによってではなく、第１底部が低くなるように、段差２２６を設けることにより区切られている。
【００９２】
したがって、この実施形態においても、給油部材２００へのオイルの導入量が少ない後退時に、第２樋部２３２の下流部を流れるオイルがもっぱら第１底部２４１上を流れ、第２底部２４２のオイル滴下孔２４２ａ、２４２ｂからオイルが不必要に滴下されることが抑制される。
【００９３】
これにより、ケースの底部に貯留するオイル量を減らしながら、後退時にも給油が必要なセカンダリシャフト２０の後端部の軸受７４には、オイルが確実に供給されることになる。
【産業上の利用可能性】
【００９４】
以上のように、本発明によれば、各被潤滑部に対して必要なオイルを確実に供給しながら、変速機ケース内に貯留するオイル量を少なくすることを可能としたから、この種の変速機ないしこれを搭載する車両の製造産業分野において好適に利用される可能性がある。
【符号の説明】
【００９５】
１                                        変速機
１０                                      プライマリシャフト
２０                                      セカンダリシャフト
１００、２００                            給油部材
１３２，２３２                            樋部（第２樋部）
１４１、２４１                            第１底部
１４２、２４２                            第２底部
１４２ａ、１４２ｂ、２４２ａ、２４２ｂ    オイル滴下孔
【図１】
2014194246.tif 000003
【図２】
2014194246.tif 000004
【図３】
2014194246.tif 000005
【図４】
2014194246.tif 000006
【図５】
2014194246.tif 000007
【図６】
2014194246.tif 000008
【図７】
2014194246.tif 000009
【図８】
2014194246.tif 000010
【図９】
2014194246.tif 000011
【図１０】
2014194246.tif 000012
【図１１】
2014194246.tif 000013
【図１２】
2014194246.tif 000014